(57)【要約】  ここに開示する手順、システム、及び教示は、ゲートウェイデバイスを通してアクセスされたコンテンツをモニタリングできるゲートウェイデバイスで実施できる。アクセスされたコンテンツの画面内容が取得され、捕捉された画面内容から、アクセスされたコンテンツのログが生成される。異なる時点においてリモートコントロールを用いてログ中をナビゲートしてコンテンツのキャプチャされた画面内容を見るユーザに、ログが表示され得る。
2015524109.tif 000002
【特許請求の範囲】
【請求項１】
ゲートウェイデバイスを通してアクセスされるコンテンツをモニターするステップと、
前記ゲートウェイデバイスを通してアクセスされた画面内容をキャプチャするステップと、
前記ゲートウェイデバイスを通してアクセスされキャプチャされた画面内容を記憶するステップと、
後で表示するため、前記キャプチャされた画面内容から、前記ゲートウェイデバイスを通してアクセスされたコンテンツのログを生成するステップと、を有する方法。
【請求項２】
さらに、前記生成されたログをディスプレイデバイスに出力するステップを有する、請求項１に記載の方法。
【請求項３】
前記キャプチャされた画面内容を記憶するステップは、前記ゲートウェイデバイスと通信しているＤＶＲ上に前記画面キャプチャを記憶するステップを有する、請求項１に記載の方法。
【請求項４】
前記ゲートウェイデバイスを通してアクセスされたコンテンツの前記生成されたログは、リモートコントロールを用いてナビゲートできる、請求項１に記載の方法。
【請求項５】
前記リモートコントロールを用いるナビゲーションは、巻き戻し及び早送りの機能を用いるステップを有する、請求項４に記載の方法。
【請求項６】
前記ナビゲーションは、トリックプレイの巻き戻し及び早送りの機能を有する、請求項５に記載の方法。
【請求項７】
モニターされるゲートウェイデバイスによりアクセスされる前記コンテンツはウェブサイトであり、前記キャプチャされるコンテンツは訪問したウェブサイトのものである、請求項１に記載の方法。
【請求項８】
モニターされるゲートウェイデバイスによりアクセスされる前記コンテンツはテレビジョン番組であり、前記キャプチャされるコンテンツは視聴した番組のものである、請求項１に記載の方法。
【請求項９】
モニターされるゲートウェイデバイスによりアクセスされる前記コンテンツはストリーミングビデオであり、前記キャプチャされるコンテンツは前記ストリーミングビデオのものである、請求項１に記載の方法。
【請求項１０】
前記画面内容をキャプチャするステップは、定期的に画面内容をキャプチャするステップを有する、
請求項１に記載の方法。
【請求項１１】
前記画面内容をキャプチャするステップは、前記ゲートウェイデバイスを通してアクセスされた前記コンテンツに基づいて画面内容をキャプチャするステップを有する、請求項１に記載の方法。
【請求項１２】
前記画面内容をキャプチャするステップは、前記ゲートウェイデバイスと通信しているデバイスを用いて画面内容をキャプチャするステップを有する、請求項１に記載の方法。
【請求項１３】
前記ゲートウェイデバイスと通信しているデバイスは、前記デバイス上でアクセスされているコンテンツから画面内容をキャプチャし、前記キャプチャされた画面内容を前記ゲートウェイデバイスに提供する、請求項１２に記載の方法。
【請求項１４】
前記ゲートウェイデバイスを通してアクセスされる前記コンテンツのログを生成するステップは、前記ゲートウェイデバイスを通してコンテンツにアクセスした各デバイスに対してログを生成するステップを有する、
請求項１に記載の方法。
【請求項１５】
ゲートウェイデバイスであって、
前記ゲートウェイデバイスを通してアクセス可能なコンテンツを受信するように構成された受信器と、
前記ゲートウェイデバイスを通してアクセスされるコンテンツをモニターし、前記ゲートウェイデバイスを通してアクセスされた前記コンテンツの画面内容をキャプチャし、前記キャプチャされた画面内容を記憶し、前記キャプチャされた画面内容から前記ゲートウェイデバイスを通してアクセスされた前記コンテンツのログを生成するように構成されたプロセッサと、
前記キャプチャされた画面内容を記憶する記憶部と、
前記ゲートウェイデバイスを通して利用可能なコンテンツと、前記ゲートウェイデバイスを通してアクセスされた前記コンテンツのログとへのアクセスを提供するインタフェースと、を有するゲートウェイデバイス。
【請求項１６】
さらに、前記インタフェースはネットワーク接続性を有する、請求項１５に記載のゲートウェイデバイス。
【発明の詳細な説明】
【技術分野】
【０００１】
本発明はホームゲートウェイの分野に関する。より具体的には、本発明は、ホームゲートウェイを通るアクティビティをモニターする能力に関する。
【背景技術】
【０００２】
インターネットなどの配信メカニズムにより多数の映画や音楽のコンテンツが利用可能となり、親は自分の子供が何を視聴しているか知ることに苦労している。子供がアクセスできるマテリアル（ｍａｔｅｒｉａｌ）の一部は、性的または攻撃的な性質であり、親は自分の子供がそのようなマテリアルにさらされることを欲しない。さらに、親は自分の子供が、子供を不適なマテリアルにさらされるおそれのあるウェブサイトその他の通信媒体にアクセスするのを制限することを欲している。
【０００３】
現在の一ソリューションはいかがわしいコンテンツをフィルタリングしたりブロッキングしたりするものである。これらのソリューションは、一般的に、キーワードやウェブサイトのレーティングやリストに依存する。このタイプのソリューションの問題は、フィルタリングが静的かつ受動的だということである。一旦設定されると、フィルタリングとブロッキングは一定かつ予め決められた規則に基づく。アクセスされるコンテンツは本来的に流動的であり、常に変化するので、これらのソリューションは過度に制限的であったり、十分制限的でなかったりする。
【０００４】
他の一ソリューションは、訪問したウェブサイトの履歴のログファイルを作るモニタリングプログラムである。このタイプのソリューションの問題は、すべてが受動的かつ静的だということである。ウェブブラウジングの履歴がログされて、訪問したウェブアドレスのリストを提供する。これは、どのウェブサイトが訪問されたかという一般的情報を与えるが、訪問されたウェブサイトでどのコンテンツが表示されたかを説明するものではない。再び、アクセスされるコンテンツはその性質が流動的なので、子供がウェブサイトを訪問した時に見られたコンテンツは、子供が訪問したウェブサイトの履歴のログがレビューされた時にそのウェブサイト上に表示されているコンテンツと同じではない可能性がある。
【０００５】
ゲートウェイデバイスを通してアクセスされるコンテンツは、その性質が流動的であり、時間の経過とともに変化し得るので、コンテンツがアクセスされた時にコンテンツ自体を捕捉してログすれば都合がよい。そうすれば、親は、アクセスされるコンテンツのログをレビューする時、どのコンテンツがアクセスされたか正確に知ることができる。
【発明の概要】
【０００６】
一実施形態では、ゲートウェイデバイスにおけるペアレンタルモニタリングの方法が提供される。これは、ゲートウェイデバイスを通してアクセスされたコンテンツをモニタリングするステップを含む。ゲートウェイデバイスを通してアクセスされたコンテンツの画面内容のキャプチャを取得し、記憶する。キャプチャされた画面内容からゲートウェイデバイスを通してアクセスされたコンテンツのログを生成する。ある実施形態では、ログは、リモートコントロールを用いてユーザによりナビゲートされ得る。例えば、巻き戻し及び早送りコマンドを用いて、異なる時点からの画面キャプチャを通してナビゲートできる。
【０００７】
この手法により、親は、画面のキャプチャがある時点に子供が視聴した実際のコンテンツを正確に表示するので、異なる時間に子供がアクセスしたコンテンツをレビューする便利な方法を有する。
【０００８】
他の一実施形態では、ゲートウェイデバイスを通してアクセスされたコンテンツをモニタリングするゲートウェイデバイスが提供される。このシステムは、受信器、プロセッサ、記憶部、及び出力インタフェースを含む。受信器は、ブロードバンド接続によりサービスプロバイダにより提供されるサービスを受信するように構成されている。プロセッサは、前記ゲートウェイデバイスを通してアクセスされるコンテンツをモニターし、前記ゲートウェイデバイスを通してアクセスされた前記コンテンツの画面内容をキャプチャし、前記キャプチャされた画面内容を記憶し、前記キャプチャされた画面内容から前記ゲートウェイデバイスを通してアクセスされた前記コンテンツのログを生成するように構成されている。記憶部は、前記キャプチャされた画面内容を記憶する。入出力インタフェースは、前記ゲートウェイデバイスを通して利用可能なコンテンツと、前記ゲートウェイデバイスを通してアクセスされた前記コンテンツのログとへのアクセスを提供するように構成されている。
【図面の簡単な説明】
【０００９】
【図１】本開示によりここで説明する機能を有するゲートウェイデバイスを含むホームネットワークの一実施形態を示す図である。
【図２】本開示の一実施形態によるゲートウェイデバイスの要素を示すブロック図である。
【図３】本開示の一実施形態による手順を示すフロー図である。
【図４】本開示の一実施形態により生成された、ゲートウェイを通してアクセスされたコンテンツのログのスクリーンショットを示す図である。
【図５】本開示の一実施形態による手順の追加ステップを示すフロー図である。
【発明を実施するための形態】
【００１０】
ここに開示する手順、システム、及び教示は、ゲートウェイデバイスを通してアクセスされたコンテンツをモニタリングできるゲートウェイデバイスで実施できる。アクセスされたコンテンツの画面内容が捕捉され、捕捉された画面内容から、アクセスされたコンテンツのログが生成される。異なる時点においてリモートコントロールを用いてログ中をナビゲートしてコンテンツの画面キャプチャを見るユーザに、ログが表示され得る。
【００１１】
ここで説明する例では、「ゲートウェイ」との用語は、サービスプロバイダにより提供され、次にゲートウェイデバイスと通信する他のデバイスに配信されるサービスのための中央配信ハブとして機能し得るデバイスを指す。例えば、ゲートウェイデバイスは、ディスプレイデバイス、セットトップボックス、パーソナルコンピュータ、及び電話など、ゲートウェイデバイスと通信している他のデバイスへのブロードバンド接続により提供されるテレビジョン、電話、及びインターネットサービスを配信する機能を有する。場合によっては、ゲートウェイデバイスは、デジタルビデオレコーダ（ＤＶＲ）機能やネットワークルーティング及びスイッチング機能などの追加機能を含み得る。
【００１２】
「コンテンツ」との用語は、ここではゲートウェイデバイスを通してアクセスできるデータを指す。これは、テレビ番組、映画、音楽、スポーツまたは音楽イベント、ウェブサイト、ポッドキャスト、ストリーミングメディア、電話の呼、インスタントメッセージ、またはその他のゲートウェイデバイスを通してアクセスできるデータ（ゲートウェイデバイス自体に記憶されたデータも含む）を含む。画面内容はディスプレイデバイス上に現れるテキストまたは画像を指す。捕捉される画面内容には、静止画面、ビデオ、テキストファイル、またはこれらの組み合わせが含まれる。捕捉される画面内容は、画像、ビデオ、オーディオ、データなどを表す。
【００１３】
図１は、ここに説明する機能を有するゲートウェイデバイスを使用できる環境１００を示す。この環境において、ゲートウェイデバイス１１０は、ユーザホームの他のデバイスに接続され、例えば、ホームコンピュータ１２０に接続され、セットトップボックス１４０、１５０を通してテレビジョン１３０、１３２に接続されている。
【００１４】
ゲートウェイデバイス１１０は、ブロードバンド接続などのしかしこれには限定されない接続１７０により、一以上のサービスプロバイダ１６０からコンテンツを受信するように構成されている。サービスプロバイダ１６０は、ブロードバンド接続１７０により、テレビジョン、電話、インターネットサービスなどのしかしこれには限定されない多数のサービスを提供できる。ブロードバンド接続の例には、ケーブル、光ファイバー、及び無線接続が含まれるがこれらには限定されない。幾つかの実施形態では、ゲートウェイデバイス１１０は、複数のブロードバンド接続１６０により複数のサービスプロバイダ１６０に接続できる。かかる実施形態では、異なるサービスプロバイダにより異なるサービスが提供され得る。
【００１５】
ゲートウェイデバイス１１０は、サービスプロバイダ１６０により提供されるサービス及びそのサービスにより提供されるコンテンツを、ゲートウェイデバイス１１０と通信する他のデバイスに配信するように構成されている。このように、他のデバイスは、ゲートウェイデバイス１１０を通してサービスの一部として提供されるコンテンツにアクセスする。図１の例では、ゲートウェイデバイスは、ホームコンピュータ１２０と通信し、ＤＶＲセットトップボックス１４０及び非ＤＶＲセットトップボックス１５０と通信する。ＤＶＲセットトップボックス１４０及び非ＤＶＲセットトップボックス１５０はディスプレイデバイス１３０及び１３２と接続されている。これらのデバイスとの通信は、ネットワーク接続またはその他のタイプのデータ接続により提供できる。例えば、ゲートウェイデバイス１１０とホームコンピュータ１２０との間の通信は、イーサネット（登録商標）または無線ネットワークにより提供できる。ホームコンピュータ１２０は、イーサネット（登録商標）または無線接続を用いて、ゲートウェイデバイス１１０を通してインターネットコンテンツにアクセスする。他方、ゲートウェイ１１０と、セットトップボックス１４０、１５０との間の通信は、同軸マルチメディア（ｍｕｌｔｉｍｅｄｉａ  ｏｖｅｒ  ｃｏａｘｉａｌ（ＭｏＣａ））ネットワーク接続を用いることができる。セットトップボックス１４０、１５０は、ＭｏＣａネットワーク接続を用いてゲートウェイデバイス１１０と通信する。セットトップボックス１４０、１５０は、ゲートウェイデバイス１１０から受信したコンテンツを、同軸、ＲＣＡ、ＨＤＭＩ(登録商標)その他のＡＶ接続を用いてディスプレイデバイス１３０及び１３２に配信できる。ゲートウェイ１１０とその他のデバイスとの間の通信に適したその他の接続は、本開示の利益により、当業者には明らかだろう。
【００１６】
図２は、本開示の一実施形態によるゲートウェイデバイス１１０の要素を示すブロック図である。この実施形態では、ゲートウェイデバイス１１０は、受信器２００、プロセッサ２１０、記憶部２２０、及び入出力インタフェース２３０を含む。各要素を以下により詳しく説明する。
【００１７】
受信器２００は、ブロードバンド接続１７０によりサービスプロバイダ１６０から受信した一以上のサービスの一部として提供されるコンテンツを受信するように構成されている。コンテンツは、テレビジョン、インターネット、または電話サービスの一部として提供された任意タイプのデータである。受信器２００のタイプと構成は、コンテンツの情報源及びフォーマットに依存する。というわけで、受信器は、テレビジョン、インターネット、または電話のコンテンツまたはこれらの任意の組み合わせを受信するように構成されている。受信器２００により、ゲートウェイデバイス１１０は、受信した様々なサービスの一部として提供されるコンテンツにアクセスしてデコードできる。というわけで、受信器２００は、テレビジョン、インターネット、及び電話のサービスなどのブロードバンド接続により提供される異なるサービスを受信し、デコードするのに必要な機能を含む。複数のサービスプロバイダと複数のブロードバンド接続がある場合、受信器２００は、各サービスプロバイダにより提供されるサービスを受信し、デコードする複数の機能インスタンス（ｍｕｌｔｉｐｌｅ  ｉｎｓｔａｎｃｅｓ  ｏｆ  ｔｈｅ  ｕｎｃｔｉｏｎａｌｉｔｙ）を含む。
【００１８】
プロセッサ２１０は、ゲートウェイデバイス１１０の動作を制御する。プロセッサは、ゲートウェイデバイス１１０を動作させるソフトウェアを実行し、ペアレンタルモニタリングの機能を提供する。これは、ゲートウェイデバイスを通したコンテンツの受信とモニタリング、ゲートウェイデバイスを通してアクセスしたコンテンツの画面内容のキャプチャと記憶、及びキャプチャされた画面内容からの、ゲートウェイを通してアクセスしたコンテンツのログの生成を含む。プロセッサ２１０は、受信器２００、記憶部２２０、及び入出力インタフェース２３０に接続され、これらの要素間の情報の転送と処理をハンドルする。プロセッサ２１０は汎用プロセッサまたは特定機能専用のプロセッサであり得る。ある実施形態では、複数のプロセッサがあってもよい。
【００１９】
記憶部２２０には、ゲートウェイデバイス１１０により用いられるソフトウェアその他の情報が記憶される。記憶部２２０は、揮発性メモリ（ＲＡＭ）、不揮発性メモリ（ＥＥＰＲＯＭ）、磁気媒体（ハードディスクドライブ）、光媒体（ＣＤ／ＤＶＤ−ＲＯＭ）、またはフラッシュベースストレージを含む。ある実施形態では、記憶部２２０は、一般的に、取得した画面キャプチャを記憶できる、メモリ、及びハードディスクドライブなどの大規模記憶部を含む。記憶部２２０は、単一の記憶デバイスであっても、複数の記憶デバイスであってもよい。
【００２０】
入出力（Ｉ／Ｏ）インタフェース２３０は、ゲートウェイデバイス１１０と、そのゲートウェイデバイス１１０と通信する他のデバイスとの間の通信をハンドルするように構成されている。Ｉ／Ｏインタフェース２３０により、他のデバイスは、ゲートウェイデバイス１１０を通して利用できるコンテンツに、ゲートウェイデバイスを通してアクセスされたコンテンツの生成されたログとして、アクセスできる。Ｉ／Ｏインタフェース２３０は、デバイスに対する正しいフォーマットでのコンテンツまたは生成されたログの提供もハンドル（ｈａｎｄｌｅ）する。というわけで、Ｉ／Ｏインタフェース２３０は、図１に示したように、ゲートウェイデバイスを、ホームコンピュータに、またはホームネットワーク及び／またはインターネットを介してセットトップボックスに接続するネットワーク接続性を実現する。
【００２１】
言うまでもなく、図２に示した要素は例示である。ゲートウェイデバイス１１０が含む要素はいくつでもよく、ある要素は他の要素の機能の一部または全部を提供してもよい。例えば、受信器２００の機能の多くとＩ／Ｏインタフェース２３０とは、プロセッサ２１０または複数の汎用または専用プロセッサにより実行できる。あるいは、ゲートウェイデバイス１１０は、セットトップボックスまたはＤＶＲなどの他のデバイスの機能の一部であっても、その機能を含んでいてもよい。本開示の利益により、本技術分野の当業者には、可能性のある他のインプリメンテーションが明らかになるだろう。
【００２２】
図３は、ゲートウェイデバイスにおけるペアレンタルモニタリングの方法３００を示すフロー図である。突き詰めれば、本方法は４つのステップを含む。最初のステップは、ゲートウェイデバイスを通してアクセスされるコンテンツのモニタリングである（ステップ３１０）。ゲートウェイデバイスを通してアクセスされるコンテンツの画面内容をキャプチャする（ステップ３２０）。キャプチャされた画面内容を記憶する（ステップ３３０）。キャプチャされた画面内容からゲートウェイを通してアクセスされたコンテンツのログを生成する（ステップ３４０）。ある実施形態では、本方法は、さらに、そのログをディスプレイデバイスに出力するステップを含む。これらのステップはそれぞれ以下にもっと詳しく説明する。
【００２３】
ステップ３１０において、ゲートウェイデバイスを通してアクセスされたコンテンツをモニターする。ホームコンピュータ１２０やセットトップボックス１４０、１５０などのデバイスはすべてゲートウェイデバイス１１０を通して受信されたサービスの一部として提供されたコンテンツにアクセスするので、ゲートウェイ１１０もそのコンテンツにアクセスしている。例えば、ホームコンピュータ１２０によりゲートウェイ１１０を通して送受信されたウェブサイトその他のインターネットデータは、ゲートウェイ１１０によりトラックできる。同様に、テレビジョン番組やストリーミングまたはダウンロードされるコンテンツも、セットトップボックス１４０、１５０にゲートウェイ１１０を通して提供されるので、ゲートウェイ１１０によりトラッキングできる。他の実施形態では、ゲートウェイを通してアクセスされたコンテンツをモニターするため、ゲートウェイ１１０は、サービスプロバイダ１６０またはゲートウェイ１１０と通信しているデバイスからの情報を用いて、どのコンテンツがアクセスされたか判断できる。例えば、ゲートウェイ１１０は、サービスプロバイダから、要求されたインターネットデータやオンデマンドムービーに関する情報を受信できる。同様に、コンピュータ１２０またはセットトップボックス１４０、１５０は、訪問したウェブサイトや視聴した番組に関する情報を提供できる。この情報は、自動的に、またはゲートウェイデバイス１１０からの要求に応じて、提供される。このような幾つかの実施形態では、サービスプロバイダその他のデバイスは、その情報を、自動的にまたは要求に応じて送信する、ローカルで実行されているアプリケーションを有する。
【００２４】
ステップ３２０において、ゲートウェイデバイス１１０を通してアクセスされるコンテンツの画面内容をキャプチャする。幾つかの実施形態では、画面内容のキャプチャには、モニターされているコンテンツに基づき、ゲートウェイデバイス１１０自体が画面内容をキャプチャすることを含み得る。他の実施形態では、画面内容は、ゲートウェイデバイスを通してコンテンツにアクセスしているデバイスによりキャプチャされてもよい。一例には、ホームコンピュータ１２０がホームコンピュータ１２０で見られているウェブサイトまたはストリーミングされているビデオの画面内容をキャプチャすることが含まれる。他の一例には、セットトップデバイス１４０、１５０がそれで視聴されている番組の画面内容をキャプチャすることが含まれる。コンテンツにアクセスしているデバイス上での画面内容のキャプチャは、自動的であっても、ゲートウェイ１１０からの要求に応じたものであってもよい。幾つかの実施形態では、コンピュータ１２０やセットトップボックス１４０、１５０は、自動的にまたは要求に応じて、画面内容をキャプチャして送信する、ローカルで実行されているアプリケーションを有する。
【００２５】
幾つかの実施形態では、画面内容がキャプチャされた時刻、及びデバイスが画面内容に示されたコンテンツにアクセスした時刻が、画面内容がキャプチャされた時に記録（ｎｏｔｅ）される。幾つかの実施形態では、これは、例えばタイムスタンプやデータファイルの一部として、キャプチャされた画面内容の一部として含まれ得る。
【００２６】
幾つかの実施形態では、画面内容のキャプチャは事実上定期的に行われ得る。すなわち、画面内容は数分ごとにまたは指定時間ごとにキャプチャされる。ある実施形態では、キャプチャの頻度とタイプは、記憶容量の制約、アクセスされるコンテンツ、コンテンツにアクセスしているデバイス、またはこれらの任意の組み合わせに基づき変更し得る。他の実施形態において、画面内容のキャプチャは、例えば、ゲートウェイデバイス１１０からの要求、あるタイプのコンテンツがアクセスされたとのモニタリングステップ（ステップ３１０）での判断、あるデバイスのコンテンツへのアクセス、またはこれらの任意の組み合わせなどのイベントによりトリガーできる。さらに他の実施形態では、画面キャプチャをトリガーする時間またはイベントは、ネットワーク環境１００を管理しているユーザ（例えば、親）により設定できる。
【００２７】
画面内容のキャプチャは、取得（ステップ３２０）された後、記憶される（ステップ３３０）。幾つかの実施形態では、キャプチャされた画面内容はゲートウェイ１１０の記憶部２２０に記憶される。幾つかの実施形態では、ゲートウェイ１１０は、ホームサーバまたはＤＶＲを含んでも、またはその一部であってもよい。この場合、ゲートウェイ１１０は、キャプチャされた画面内容を記憶するためにホームサーババックアップまたはＤＶＲ機能のために設けられた追加的記憶空間にアクセスできる。他の実施形態では、キャプチャされた画面内容はゲートウェイ１１０と通信している他の記憶デバイス上に記憶され得る。例えば、キャプチャされた画面内容はＤＶＲセットトップボックス１４０上に記憶できる。キャプチャされた画面内容に関連する時間及びデバイス情報も、ＤＶＲセットトップボックス１４０上に記憶できる。
【００２８】
キャプチャされた画面内容を記憶して（ステップ３３０）、キャプチャされ記憶された画面内容から、ゲートウェイを通してアクセスされたコンテンツのログを生成できる。幾つかの実施形態では、ログの生成を自動化し、キャプチャされた画面内容を受信するとログが更新される。他の実施形態では、ログは、ゲートウェイデバイス１１０を通してアクセスされたコンテンツのログを求める要求に応じて、キャプチャされ記憶された画面内容から動的に生成できる。
【００２９】
ある実施形態では、ログは、ゲートウェイデバイス１１０と通信しているすべてのデバイスによりゲートウェイデバイス１１０を通したコンテンツアクセスのキャプチャされたすべての画面内容を含んでいてもよい。かかる実施形態では、ログ中のキャプチャされた各画面内容には、どのデバイスがそのキャプチャされた画面内容に関連するか示す追加的情報を設けてもよい。他の実施形態では、ログは各デバイスに対して生成されてもよく、その場合、ログはそのデバイスに関連するキャプチャされた画面内容のみを含む。
【００３０】
幾つかの実施形態では、ログは、時間的順序で並べられたキャプチャされた画像内容よりなり、ゲートウェイデバイス１１０を通して異なる時間にアクセスされたコンテンツのキャプチャされた画面内容を、その時間的に並べられたログを前進または後進することにより見ることができる。
【００３１】
ログは、一旦生成されると（ステップ３４０）、ディスプレイデバイスに出力できる（ステップ３５０）。例えば、生成されたログは、ゲートウェイデバイス１１０と通信しているコンピュータ１２０のモニター上で、またはセットトップボックス１４０、１５０を介してディスプレイデバイス１３０、１３２上で、見ることができる。表示されるログ４００の一例は図４のとおりである。
【００３２】
図４の実施形態では、表示されるログ４００は、キャプチャされ時間順序で提示された画面コンテンツ４１０のスチール写真を提供する。また、表示されたログ４００は、情報源の表示４２０（この場合、「コンピュータＢ」である）と、キャプチャされた画面内容４１０の日時４３０と含む。この実施形態では、表示されるログ４００は、時間バー４５０により表されたキャプチャされ時間的に表された画面内容のタイムライン中のどこにキャプチャされた画面内容のスチール写真があるか示すインジケータ４４０も含む。
【００３３】
ある実施形態では、ユーザは、ＤＶＲまたはＤＶＤプレーヤを操作する時に用いるリモートコントロールコマンドと同様のものを用いて、ログ４００をナビゲートすることができる。例えば、図４において、オンスクリーンディスプレイ４６０，４７０及び４８０は、巻き戻しコマンドを用いてキャプチャされた画面内容の前のスチール写真へナビゲートできること、早送りコマンドを用いてキャプチャされた画面内容の次のスチール写真へナビゲートできること、及び再生コマンドを用いて「コンピュータＢ」によりアクセスされているコンテンツの画面内容のライブキャプチャにナビゲートできることを示す。
【００３４】
幾つかの実施形態では、ログ４００をナビゲーションする標準的なリモートコントロールコマンドを用いるのに加えて、ログ４００をナビゲーションする高度ないわゆる「トリックプレイ」機能もサポートされている。これの例は図５から分かる。
【００３５】
図５は、ログ４００をナビゲーションする「トリックプレイ」機能をいかにインプリメントするかを示す一実施形態を示すフロー図５００である。フロー図の開始（ブロック５１０）に当たり、巻き戻しボタンが押されたか判断する（決定ブロック５２０）。巻き戻しボタンが押されている場合、巻き戻しボタンが続けて押されているか判断する（決定ブロック５２２）。巻き戻しボタンが続けて押されている場合、ログ４００は、時間的に並べられた画面キャプチャにおいて、１０枚のスチール画面キャプチャだけ後ろ向きにナビゲーションされる（ブロック５２４）。巻き戻しボタンが続けて押されていない場合、ログ４００は、時間的に並べられた画面キャプチャにおいて、１０枚のスチール画面キャプチャだけ後ろ向きにナビゲーションされる（ブロック５２４）。しかし、巻き戻しボタンが押されていないと判断された場合、次の判断を行う（決定ブロック５３０）。
【００３６】
フロー図５００中の次の判断は、早送りボタンが押されているかである（決定ブロック５３０）。早送りボタンが押されている場合、早送りボタンが続けて押されているか判断する（決定ブロック５３２）。早送りボタンが続けて押されている場合、ログ４００は、時間的に並べられた画面キャプチャにおいて、１０枚のスチール画面キャプチャだけ前向きにナビゲーションされる（ブロック５３４）。早送りボタンが続けて押されていない場合、ログ４００は、時間的に並べられた画面キャプチャにおいて、１０枚のスチール画面キャプチャだけ前向きにナビゲーションされる（ブロック５２４）。しかし、早送りボタンが押されていないと判断された場合、次の判断を行う（決定ブロック５４０）。
【００３７】
フロー図５００中の次の判断は、再生ボタンが押されているかである（決定ブロック５４０）。再生ボタンが押されている場合、ログは最も新しいスチール画面キャプチャにナビゲートされる（ブロック５４２）。しかし、再生ボタンが押されていないと判断された場合、次の判断を行う（決定ブロック５５０）。フロー図５００中の次の判断は、一時停止ボタンが押されているかである（決定ブロック５５０）。一時停止ボタンが押されている場合、ログは現在表示されているスチール画面キャプチャを維持する（ブロック５５２）。しかし、一時停止ボタンが押されていないと判断した場合、フロー図の進行が再び始まる（ブロック５１０）。
【００３８】
このように、「トリックプレイ」の巻き戻しと早送り、及び再生と一時停止の機能をインプリメントして、ログ４００をナビゲーションできる。
【００３９】
留意点として、図４と図５を参照して説明した例はスチール画面キャプチャであるが、同様の手法を用いてキャプチャされたビデオをレビューでき、このときキャプチャされたビデオはそれから生成されたサムネールによりログ中に表示される。本開示の利益により、本技術分野の当業者には、他の可能性のある構成及びインプリメンテーションが明らかになるだろう。
【００４０】
言うまでもなく、ゲートウェイデバイス１１０におけるペアレンタルモニタリング機能の設定と管理は、コンテンツのモニタリング、画面内容のキャプチャ、及びログの生成を含め、必要に応じてユーザにより行われ得る。例えば、オンスクリーンメニューを設けてユーザがこれらの側面を設定または修正できるようにしてもよい。
【００４１】
上記の実施例は電子装置にフォーカスしているが、言うまでもなく本発明をコンピュータプログラム製品として実施することもできる。このコンピュータプログラム製品は、ここで説明した方法の実施を可能とするすべての特徴を有し、コンピュータシステムにロードされた時、これらの方法を実行することができる。本発明の場合にコンピュータプログラムまたはアプリケーションとは、情報処理能力を有するシステムに直接、またはａ）他の言語、コード、または記法への変換、またはｂ）異なる素材形式での再生のいずれか、または両方の後に、特定の機能を実行させることを目的とする一組の命令のいかなる言語、コード、または記法のいかなる表現も含む。
また、上記の説明は単なる例示であり、特許請求の範囲の記載を除いて、本発明に何らかの限定を加えることを意図したものではない。
【図１】
2015524109.tif 000003
【図２】
2015524109.tif 000004
【図３】
2015524109.tif 000005
【図４】
2015524109.tif 000006
【図５】
2015524109.tif 000007
【手続補正書】
【提出日】平成27年5月26日(2015.5.26)
【手続補正１】
【補正対象書類名】特許請求の範囲
【補正対象項目名】全文
【補正方法】変更
【補正の内容】
【特許請求の範囲】
【請求項１】
ゲートウェイデバイスを通してアクセスされるコンテンツをモニターするステップと、
前記ゲートウェイデバイスを通してアクセスされた画面内容をキャプチャするステップと、
前記ゲートウェイデバイスを通してアクセスされキャプチャされた画面内容を記憶するステップと、
後で表示するため、前記キャプチャされた画面内容から、前記ゲートウェイデバイスを通してアクセスされたコンテンツのログを生成するステップと、を有し、
前記ゲートウェイデバイスを通してアクセスされたコンテンツのログは、リモートコントロールの巻き戻し及び早送り機能を用いてナビゲートできる、
方法。
【請求項２】
さらに、前記生成されたログをディスプレイデバイスに出力するステップを有する、請求項１に記載の方法。
【請求項３】
前記キャプチャされた画面内容を記憶するステップは、前記ゲートウェイデバイスと通信しているＤＶＲ上に前記画面キャプチャを記憶するステップを有する、請求項１に記載の方法。
【請求項４】
前記ナビゲーションは、トリックプレイの巻き戻し及び早送りの機能を有する、請求項１に記載の方法。
【請求項５】
モニターされるゲートウェイデバイスによりアクセスされる前記コンテンツはウェブサイトであり、前記キャプチャされるコンテンツは訪問したウェブサイトのものである、請求項１に記載の方法。
【請求項６】
モニターされるゲートウェイデバイスによりアクセスされる前記コンテンツはテレビジョン番組であり、前記キャプチャされるコンテンツは視聴した番組のものである、請求項１に記載の方法。
【請求項７】
モニターされるゲートウェイデバイスによりアクセスされる前記コンテンツはストリーミングビデオであり、前記キャプチャされるコンテンツは前記ストリーミングビデオのものである、請求項１に記載の方法。
【請求項８】
前記画面内容をキャプチャするステップは、定期的に画面内容をキャプチャするステップを有する、
請求項１に記載の方法。
【請求項９】
前記画面内容をキャプチャするステップは、前記ゲートウェイデバイスを通してアクセスされた前記コンテンツに基づいて画面内容をキャプチャするステップを有する、請求項１に記載の方法。
【請求項１０】
前記画面内容をキャプチャするステップは、前記ゲートウェイデバイスと通信しているデバイスを用いて画面内容をキャプチャするステップを有する、請求項１に記載の方法。
【請求項１１】
前記ゲートウェイデバイスと通信しているデバイスは、前記デバイス上でアクセスされているコンテンツから画面内容をキャプチャし、前記キャプチャされた画面内容を前記ゲートウェイデバイスに提供する、請求項１０に記載の方法。
【請求項１２】
前記ゲートウェイデバイスを通してアクセスされる前記コンテンツのログを生成するステップは、前記ゲートウェイデバイスを通してコンテンツにアクセスした各デバイスに対してログを生成するステップを有する、
請求項１に記載の方法。
【請求項１３】
ゲートウェイデバイスであって、
前記ゲートウェイデバイスを通してアクセス可能なコンテンツを受信するように構成された受信器と、
前記ゲートウェイデバイスを通してアクセスされるコンテンツをモニターし、前記ゲートウェイデバイスを通してアクセスされた前記コンテンツの画面内容をキャプチャし、前記キャプチャされた画面内容を記憶し、前記キャプチャされた画面内容から前記ゲートウェイデバイスを通してアクセスされた前記コンテンツのログを生成するように構成されたプロセッサと、
前記キャプチャされた画面内容を記憶する記憶部と、
前記ゲートウェイデバイスを通して利用可能なコンテンツと、前記ゲートウェイデバイスを通してアクセスされた前記コンテンツのログとへのアクセスを提供し、リモートコントロールの巻き戻し及び早送り機能を用いたナビゲーションを可能とするインタフェースと、を有するゲートウェイデバイス。
【請求項１４】
さらに、前記インタフェースはネットワーク接続性を有する、請求項１３に記載のゲートウェイデバイス。
【国際調査報告】
2015524109.tif 000008